(57)【要約】【課題】コストが安く、質量が小さく、組立てが容易なコンタクトヘッドを実現する。【解決手段】プランジャがデバイスプッシャを所定時に押圧するコンタクトヘッドにおいて、ベースプレートの一方の面に設けられた凹部と、前記ベースプレートの一面に一面が接して設けられ前記凹部と加圧室を構成するカバープレートと、このカバープレートに設けられ前記加圧室に連通するプランジャ穴と、このプランジャ穴の前記加圧室との連通部に設けられたダイアフラムと、前記プランジャ穴に設けられ前記ダイアフラムに一端が取り付けられ前記加圧室への加圧により他端が前記デバイスプッシャを押圧するプランジャとを具備したことを特徴とするコンタクトヘッドである。【選択図】図１
2007292681.tif 000002
【特許請求の範囲】
【請求項１】
プランジャがデバイスプッシャを所定時に押圧するコンタクトヘッドにおいて、
ベースプレートの一方の面に設けられた凹部と、
前記ベースプレートの一面に一面が接して設けられ前記凹部と加圧室を構成するカバープレートと、
このカバープレートに設けられ前記加圧室に連通するプランジャ穴と、
このプランジャ穴の前記加圧室との連通部に設けられたダイアフラムと、
前記プランジャ穴に設けられ前記ダイアフラムに一端が取り付けられ前記加圧室への加圧により他端が前記デバイスプッシャを押圧するプランジャと
を具備したことを特徴とするコンタクトヘッド。
【請求項２】
前記ダイアフラムは前記カバープレートの前記一面の全面に設けられたこと
を特徴とする請求項１記載のコンタクトヘッド。
【発明の詳細な説明】
【技術分野】
【０００１】
本発明は、ハンドラのコンタクトヘッドコンタクトヘッドに関するものである。
更に、詳述すれば、コストが安く、質量が小さく、組立てが容易なコンタクトヘッドに関するものである。
【背景技術】
【０００２】
コンタクトヘッドに関連する先行技術文献としては次のようなものがある。
【０００３】
【特許文献１】特開２００３−１３９８１６号公報
【０００４】
図２は従来より一般に使用されている従来例の構成説明図で、（Ａ）は正面図、（Ｂ）は平面図である。
図において、ダイアフラムシリンダ穴２は、ベースプレート１に設けられている。
ダイアフラムシリンダ穴２には、ダイアフラムシリンダユニット３が設けられている。
ダイアフラムシリンダユニット３は、加圧シリンダ３０１、ダイアフラム３０３、ダイアフラム３０３、ガイドシリンダ３０４、プランジャ３０７とを有する。
【０００５】
加圧シリンダ３０１は、加圧シリンダ本体３０２と加圧シリンダ本体３０２に設けられた凹部３０３とを有する。
ダイアフラム３０４は、一面側が凹部３０３を覆って設けられ凹部３０３と加圧室３０５を構成している。
ガイドシリンダ３０６は、ダイアフラム３０４の他面側を覆って設けられ、ガイドシリンダ本体３０７とガイドシリンダ本体３０７に設けられた凹部３０８とを有する。
【０００６】
プランジャ３０９は凹部３０８に配置され、一端がダイアフラム３０４に固定され、他端がガイドシリンダ本体３０７に設けられたガイド穴３１１に挿入され、加圧室３０５が加圧されると、デバイスプッシャ４を押圧する。
ポスト５はデバイスプッシャ４を摺動自由にベースプレート１に固定している。
【０００７】
継手３１２は加圧シリンダ本体３０２に設けられ、加圧室３０５と連通する。
継手３１３はベースプレート１に設けられ、ベースプレート１に設けられた圧縮空気導入ポート３１４と連通する。
チューブ３１５は、継手３１２と継手３１３とを連通する。
【０００８】
以上の構成において、ベースプレート１に設けられた圧縮空気導入ポート３１４から継手３１３、チューブ３１５、継手３１２を介してダイアフラムシリンダユニット３に圧縮空気が供給される。
加圧室３０５内が加圧されると、プランジャ３０９がデバイスプッシャ４を押圧する。
【発明の開示】
【発明が解決しようとする課題】
【０００９】
このような装置においては、以下の間題点がある。
部品点数が多くなり、コストが高くなる。
継手３１２，３１３の高さに制限されて、ベースプレート１が厚くなり、コンタクトヘッドの質量が大きくなり、インデックスの高速化の妨げとなる。
配管等（継手３１２，３１３、チューブ３１４の組立て工数が大きく、製造コストが高くなる。
【００１０】
本発明の目的は、上記の課題を解決するもので、
コストが安く、質量が小さく、組立てが容易なコンタクトヘッドを提供することにある。
【課題を解決するための手段】
【００１１】
このような課題を達成するために、本発明では、請求項１のコンタクトヘッドにおいては、
プランジャがデバイスプッシャを所定時に押圧するコンタクトヘッドにおいて、ベースプレートの一方の面に設けられた凹部と、前記ベースプレートの一面に一面が接して設けられ前記凹部と加圧室を構成するカバープレートと、このカバープレートに設けられ前記加圧室に連通するプランジャ穴と、このプランジャ穴の前記加圧室との連通部に設けられたダイアフラムと、前記プランジャ穴に設けられ前記ダイアフラムに一端が取り付けられ前記加圧室への加圧により他端が前記デバイスプッシャを押圧するプランジャとを具備したことを特徴とする。
【００１２】
本発明の請求項２のコンタクトヘッドにおいては、請求項１記載のコンタクトヘッドにおいて、
前記ダイアフラムは前記カバープレートの前記一面の全面に設けられたことを特徴とする。
【発明の効果】
【００１３】
本発明の請求項１によれば、次のような効果がある。
全体構成が簡潔にできるので、コストが安く、質量が小さく、組立てが容易なコンタクトヘッドが得られる。
更に、加圧室の容量が大きくできるので、プランジャー推力の均一性、動特性が向上できるコンタクトヘッドが得られる。
【００１４】
本発明の請求項２によれば、次のような効果がある。
ダイアフラムはカバープレートの一面の全面に設けられたので、ダイアフラム部分が簡潔に構成できて、安価なコンタクトヘッドが得られる。
特に、複数のプランジャを使用する場合に好適なコンタクトヘッドが得られる。
【発明を実施するための最良の形態】
【００１５】
以下本発明を図面を用いて詳細に説明する。
図１は本発明の一実施例の要部構成説明図で、（Ａ）は正面図、（Ｂ）は平面図である。
図において、図２と同一記号の構成は同一機能を表す。
以下、図２との相違部分のみ説明する。
【００１６】
図１において、凹部１２は、ベースプレート１１の一方の面に設けられている。
カバープレート１３は、ベースプレート１１の一面に一面が接して設けられ、凹部１２と加圧室１４を構成する。
プランジャ穴１５は、カバープレート１３に設けられ、加圧室１４に連通する。
この場合は、プランジャ穴１５は４個設けられている。
【００１７】
ダイアフラム１６は、プランジャ穴１５の加圧室１４との連通部に設けられている。
この場合は、ダイアフラム１６は、カバープレート１３の一面の全面に設けられている。
プランジャ１７は、プランジャ穴１５に設けられ、ダイアフラム１６に一端が取り付けられ、加圧室１４への加圧により、他端がデバイスプッシャ４を押圧する。
圧縮空気導入ポート１８は、ベースプレート１１に設けられ、加圧室１４と連通する。
【００１８】
以上の構成において、圧縮空気導入ポート１８から、加圧室１４に圧縮空気が供給されることにより、各プランジャー１７は推力を得て、各デバイスプッシャ４を押圧する。
【００１９】
この結果、
全体構成が簡潔にできるので、コストが安く、質量が小さく、組立てが容易なコンタクトヘッドが得られる。
更に、加圧室１４の容量が大きくできるので、プランジャー推力の均一性、動特性が向上できるコンタクトヘッドが得られる。
【００２０】
また、ダイアフラム１６はカバープレート１３の一面の全面に設けられたので、ダイアフラム部分が簡潔に構成できて、安価なコンタクトヘッドが得られる。
特に、複数のプランジャ１７を使用する場合に好適なコンタクトヘッドが得られる。
【００２１】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００２２】
【図１】本発明の一実施例の要部構成説明図である。
【図２】従来より一般に使用されている従来例の構成説明図である。
【符号の説明】
【００２３】
１      ベースプレート
２      ダイアフラムシリンダ穴
３      ダイアフラムシリンダユニット
３０１  加圧シリンダ
３０２  加圧シリンダ本体
３０３  凹部
３０４  ダイアフラム
３０５  加圧室
３０６  ガイドシリンダ
３０７  ガイドシリンダ本体
３０８  凹部
３０９  プランジャ
３１１  ガイド穴
３１２  継手
３１３  継手
３１４  圧縮空気導入ポート
３１５  チューブ
４      デバイスプッシャ
５      ポスト
１１    ベースプレート
１２    凹部
１３    カバープレート
１４    加圧室
１５    プランジャ穴
１６    ダイアフラム
１７    プランジャ
１８    圧縮空気導入ポート
【図１】
2007292681.tif 000003
【図２】
2007292681.tif 000004